(57)【要約】      （修正有）【課題】太陽電池用太陽光パネルを確実に枠体の上に固定させることができ、組み立てと締結が簡易かつ堅固にできる太陽光パネル固定具を提供する。【解決手段】固定子３と、合成樹脂製ワッシャー４と、金属製ワッシャー５と、ボルト６と、ナット７とからなる太陽光パネル固定具で、ボルト６のボルトヘッド６ａの下側に形成された４角固定部６ｂが、金属製ワッシャー５に形成されたボルトヘッド固定溝５ａの内側に形成された４角固定穴５ｂに係合してボルト６が回転しないように嵌められるので、ナット７を確実に締めて太陽光パネルを固定することができる。【選択図】図２
2011014877.tif 000002
【特許請求の範囲】
【請求項１】
金属製板によって形成され、幅方向一対の側壁（３ｅ）と該一対の側壁（３ｅ）の下端を連結するように設けられた底面（３ｄ）とを有する凹形状部と、凹形状部の各側壁（３ｅ）の上端からそれぞれ幅方向外側に向かって延びるように設けられた幅方向一対の水平突起部（３ａ、３ｂ）とを有する固定子（３）と、
固定子（３）の凹形状部が上下方向に挿入される穴（４ａ）を有し、固定子（３）の凹形状部が穴（４ａ）に上方から挿入されると上面が固定子（３）の各水平突起部（３ａ、３ｂ）の下面に当接する合成樹脂ワッシャー（４）と、
固定子（３）の各水平突起部（３ａ、３ｂ）の上面に当接し、固定子（３）の底面（３ｄ）を上下方向に貫通するように設けられた孔（３ｃ）と水平方向に位置が一致している固定孔（５ｂ）が形成された金属製ワッシャー（５）と、
金属製ワッシャー（５ｂ）の固定孔（５ｂ）と回転方向に係合する固定部（６ｂ）がボルトヘッド（６ａ）の下側に設けられたボルト（６）と、
固定孔（５ｂ）に固定部（６ｂ）が係合するとともに先端が固定子（３）の底面（３ｄ）の孔（３ｃ）を挿通するように固定孔（５ｂ）に挿入されたボルト（６）の先端に螺合するナット（７）とを備えた太陽電池用太陽光パネル固定具。
【請求項２】
金属製板によって形成され、幅方向一対の側壁（３ｅ）と該一対の側壁（３ｅ）の下端を連結するように設けられた底面（３ｄ）とを有する凹形状部と、凹形状部の各側壁（３ｅ）の上端からそれぞれ幅方向外側に向かって延びるように設けられた幅方向一対の水平突起部（３ａ、３ｂ）とを有する固定子（３）と、
固定子（３）の凹形状部が上下方向に挿入される４角穴（４ａ）を有し、固定子（３）の凹形状部が４角穴（４ａ）に上方から挿入されると上面が固定子（３）の各水平突起部（３ａ、３ｂ）の下面に当接する合成樹脂ワッシャー（４）と、
固定子（３）の各水平突起部（３ａ、３ｂ）の上面に当接し、固定子（３）の底面（３ｄ）を上下方向に貫通するように設けられた孔（３ｃ）と孔の中心軸が一致している４角固定孔（５ｂ）が形成され、４角固定孔（５ｂ）の周りの上面に４角固定孔（５ｂ）の外側に拡がるようにボルトヘッド溝（５ａ）が形成された金属製ワッシャー（５）と、
金属製ワッシャー（５ｂ）の４角固定孔（５ｂ）と回転方向に係合する４角固定部（６ｂ）がボルトヘッド（６ａ）の下側に設けられたボルト（６）と、
４角固定孔（５ｂ）に４角固定部（６ｂ）が係合するとともに先端が固定子（３）の底面（３ｄ）の孔（３ｃ）を挿通するように４角固定孔（５ｂ）に挿入されたボルト（６）の先端に螺合するナット（７）とを備えた太陽電池用太陽光パネル固定具。
【発明の詳細な説明】
【技術分野】
【０００１】
本発明は、太陽電池用太陽光パネルを枠体の上に固定するために使用する太陽光パネル固定具に関する。より詳しくは、固定具の本体と太陽光パネルとの間に弾性体である合成樹脂製パッキングを介在し、固定ボルトが容易に解けないように締結することができる固定具を開発して安全な設置が行われるようにしたものである。
【背景技術】
【０００２】
従来の太陽光パネル固定具は、太陽光パネルと太陽光パネルとの間に係止突起があるワッシャーを介在してボルトとナットで固定するものであるため、太陽光パネルとワッシャーが接触する面に疵が出来る問題があり、ボルトを締める時ボルトが空転してナットの締結が難しくなり、ボルトを片手で持って空転しないように固定させてナットを締結しなければならない不便があった。
【発明の概要】
【発明が解決しようとする課題】
【０００３】
本発明は、上記の従来の不便を解消するために開発したものである。
【課題を解決するための手段】
【０００４】
本発明は前記課題を解決するために、金属製板によって形成され、幅方向一対の側壁と該一対の側壁の下端を連結するように設けられた底面とを有する凹形状部と、凹形状部の各側壁の上端からそれぞれ幅方向外側に向かって延びるように設けられた幅方向一対の水平突起部とを有する固定子を備えるとともに、固定子の凹形状部が上下方向に挿入される穴を有し、該孔に固定子の凹形状部が上方から挿入されると上面が固定子の各水平突起部の下面に当接する合成樹脂ワッシャーを備え、固定子の各水平突起部の上面に当接し、固定子の底面を上下方向に貫通するように設けられた孔と水平方向に位置が一致している固定孔が形成された金属製ワッシャーを備え、金属製ワッシャーの固定孔と回転方向に係合する固定部がボルトヘッドの下側に設けられたボルトが、金属ワッシャーの固定孔に固定部が係合するとともに先端が固定子の底面に設けられた前記孔を挿通するように挿入され、そのボルトの先端にナットが螺合するように構成することで、固定子に取付けるボルトの締付けが容易で、且つ太陽光パネルを確実に保持することができるようにしたものである。
【発明の効果】
【０００５】
このように成された本発明では、例えば、太陽光パネル装置枠１にボルト及びナットによって取付けられた形鋼体２に固定子３が取付けられる。形鋼体２は例えば金属製板をコ字状に折り曲げて形成され、コ字状に形成されて対向する一対の板状部にそれぞれ取付孔が形成され、一方の板状部が前記ボルト及びナットによって太陽光パネル枠装置１に取付けられ、他方の板状部が後述するボルト６及びナット７によって固定子３に取付けられる。また、合成樹脂製ワッシャー４の穴４ａには固定子３の凹状部が上方から挿入され、固定子３の凹状部の外面に合成樹脂製ワッシャー４が嵌められた状態になる。また、合成樹脂製ワッシャー４が固定子３の両側水平突起部３ａ、３ｂの下面に密着固定するようにした後、水平突起部３ａ、３ｂの上面に金属製ワッシャー５を載置し、金属製ワッシャー５に形成されたボルトヘッド固定溝５ａ内にボルトヘッド６ａが配置されるように、金属製ワッシャー５の孔５ｂにボルト６を挿入し、凹状部の底面３ｄの穴３ｃ及び形鋼体２の前記他方の板状部の取付孔を挿通したボルト６の先にナット７が螺合するようにし、合成樹脂製ワッシャー４と形鋼体２の前記他方の板状部との間に太陽光パネル９を介在させた後、ナット７を締めて緊張させる。ここで、ボルト６のヘッド６ａの下側に形成された例えば４角の固定部６ｂが金属製ワッシャー５に形成されたボルトヘッド固定溝５ａの内側に形成された例えば４角の固定穴５ｂに係合してボルト６が回転しないように嵌められるので、ナット７を完璧に締めて太陽光パネル９を固定させることができるようになり、また、固定子３と太陽光パネル９との間に合成樹脂製ワッシャー４が介在されて合成樹脂製ワッシャー４が弾性を発揮しながら太陽光パネル９の表面に密着するので、太陽光パネル９の震動に対応する締結が成されて確実な固定ができるようになる。
【０００６】
したがって、本発明の開発によって太陽光パネル９をより確実に形鋼体２の上に固定させることができ、ボルト６を解いてから再結合する時や結合時に作業が容易になり、ボルト６はボルトヘッド６ａの内側に例えば４角の固定部６ｂがあって金属製ワッシャー５で回転しないように結合されるので、組み立てと締結が簡易且つ堅固になるメリットがある。
【図面の簡単な説明】
【０００７】
【図１】本発明の斜視図である。
【図２】本発明の分解斜視図である。
【図３】本発明の断面図である。
【図４】本発明の使用状態の例示図である。
【発明を実施するための形態】
【０００８】
金属板製を折り曲げて成形され、幅方向一対の側壁３ｅと該一対の側壁３ｅの下端を連結するように設けられた底面３ｄとを有する凹形状部と、凹形状部の各側壁３ｅの上端からそれぞれ幅方向外側に向かって延びるように設けられた幅方向一対の水平突起部３ａ、３ｂとを有し、底面３ｄに孔３ｃが形成された固定子を備える。また、固定子３の凹形状部が嵌められる４角穴４ａが形成され、固定子３の凹形状部の外周面に嵌められて固定子３の両側水平突起部３ａ、３ｂの下面に密着する合成樹脂製ワッシャー４と、固定子３の凹形状部の上端両側の水平突起部３ａ、３ｂの上面に積層され且つ金属からなり、固定子３の孔３ｃと上下に一致する位置にボルトヘッド６ａの４角固定部６ｂとボルト回転方向に係合する４角固定穴５ｂが形成され、４角固定穴５ｂの周りの上面に４角固定穴５ｂの外側に拡がるようにボルトヘッド固定溝５ａが形成され、両側水平突起部３ａ、３ｂ及び合成樹脂製ワッシャー４を上方から覆うように形成された金属製ワッシャー５を備えている。金属製ワッシャー５の外周側の下面は合成樹脂製ワッシャー４の外周面にボルト回転方向に係合するように形成されている。ボルト６のボルトヘッド６ａの下面には金属製ワッシャーの４角固定穴５ｂにボルト回転方向に係合するように前記４角固定部６ｂが形成され、固定子３の底部３ｄでボルト６と螺合するナット７を有する構成である。
【符号の説明】
【０００９】
１…太陽光パネル装置枠、２…形鋼体、３…固定子、３ａ，３ｂ…水平突起部、３ｃ…孔、３ｄ…底面、３ｅ…側壁、４…合成樹脂製ワッシャー、４ａ…４角穴、５…金属製ワッシャー、５ａ…ボルトヘッド固定溝、５ｂ…４角固定穴、６…ボルト、６ａ…ボルトヘッド、６ｂ…４角固定部、７…ナット、９…太陽光パネル。
【図１】
2011014877.tif 000003
【図２】
2011014877.tif 000004
【図３】
2011014877.tif 000005
【図４】
2011014877.tif 000006